(57)【特許請求の範囲】
【請求項１】
光ディスクに設けられたパワーキャリブレーション領域にテスト記録を行うと共に当該テスト記録の再生を行い、この再生信号のパラメータによって前記光ディスクに記録するレーザパワーを決定する光ディスク装置のパワーキャリブレーション方法において、
前記テスト記録に使用するパーティションが前記光ディスクの半周分以上であって一周分に満たない条件下で前記パワーキャリブレーションを行い、
（１）前記パーティションに使用するセクタ中の任意のセクタと、当該任意のセクタから数えて前記光ディスクの１／２周後のセクタとの間の中間セクタに記録を行い、
（２）前記中間セクタに行った記録結果から、前記任意のセクタと、当該任意のセクタから数えて前記光ディスクの１／２周後のセクタとに照射する暫定パワーを決定し、
（３）前記任意のセクタと、当該任意のセクタから数えて前記光ディスクの１／２周後のセクタとに、前記暫定パワーを用いて同一の記録条件にて前記テスト記録を実施し、
（４）これらのセクタの再生信号のパラメータの平均値を求め、
（５）この平均値から前記光ディスクに記録するレーザパワーを決定する、
ことを特徴とする光ディスク装置のパワーキャリブレーション方法。
【請求項２】
請求項１に記載の光ディスク装置のパワーキャリブレーション方法において、前記中間セクタに行う記録が、各セクタ内で複数段階の記録パワーにて行われることを特徴とする光ディスク装置のパワーキャリブレーション方法。
【請求項３】
請求項１または２に記載の光ディスク装置のパワーキャリブレーション方法において、前記任意のセクタと、当該任意のセクタから数えて前記光ディスクの１／２周後のセクタとに行うテスト記録が、一のセクタについて一の値のパワーで行われることを特徴とする光ディスク装置のパワーキャリブレーション方法。
【請求項４】
請求項１または２に記載の光ディスク装置のパワーキャリブレーション方法において、前記任意のセクタと、当該任意のセクタから数えて前記光ディスクの１／２周後のセクタとに行うテスト記録が、一のセクタについて段階的に値の異なるパワーで行われることを特徴とする光ディスク装置のパワーキャリブレーション方法。
【請求項５】
請求項１または２に記載の光ディスク装置のパワーキャリブレーション方法において、
（５）前記ステップ（１）ないし（４）を実行して暫定記録パワー値を決定し、
（６）前記任意のセクタとは別の任意のセクタと、当該別の任意セクタから数えて前記光ディスクの１／２周後のセクタとに前記暫定記録パワー値を用いて再度テスト記録を行い、
（７）これらのセクタの再生信号のパラメータの平均値を求め、
（８）この平均値から前記光ディスクに記録するレーザパワーを決定する、
ことを特徴とする光ディスク装置のパワーキャリブレーション方法。
【請求項６】
請求項５に記載の光ディスク装置のパワーキャリブレーション方法において、少なくとも前記暫定記録パワー値を求めるステップ（５）において、各セクタ内で複数段階の記録パワーにて記録が行われることを特徴とする光ディスク装置のパワーキャリブレーション方法。
【請求項７】
請求項５または６に記載の光ディスク装置のパワーキャリブレーション方法において、前記ステップ（７）で求めた再生信号のパラメータの平均値と、目標としている値を比較して、前記ステップ（８）で決定したレーザパワーの適正を判断することを特徴とする光ディスク装置のパワーキャリブレーション方法。
【請求項８】
請求項１ないし７のいずれかに記載の光ディスク装置のパワーキャリブレーション方法を実行する光ディスク装置。
【発明の詳細な説明】
【０００１】
【発明の属する技術分野】
本発明は、光ディスク装置のパワーキャリブレーション方法に関するものであり、特に、テスト記録に使用する１のパーティションが光ディスクの１周分に満たない光ディスクにおいて、テスト記録に使用するパワーキャリブレーション領域を増やすことなく高精度なパワーキャリブレーションを実施することが可能なパワーキャリブレーション方法に関する。
【０００２】
【従来の技術】
近年、情報の記録が可能な光ディスク装置としてＣＤ−Ｒ／ＲＷドライブが普及している。また、更に大容量で、転送レートが高い光ディスク装置としてＤＶＤ−Ｒ／ＲＷドライブが注目されている。このような情報記録装置においてデータの書き込みを行う場合は、光学ヘッドからディスク媒体に照射するレーザ光のパワーを最適化することが重要である。
【０００３】
通常、最適な記録レーザパワーは光ディスクの種類や環境温度によって異なる。また、記録レーザパワーが適切でないと再生時にデータを正しく読み出さなくなる場合があるため、光ディスク装置では、データを書き込む毎にテスト記録を行って光ディスク媒体への最適記録レーザパワーを決定するようにしている。
【０００４】
このため、書き込み可能な光ディスク媒体には、実際のデータを書き込む領域とは別に、最適記録レーザパワーを決定するためのテスト記録用のＰＣＡ領域（パワー・キャリブレーション・エリア）が設けられている。
【０００５】
図５は、ＤＶＤ−Ｒの光ディスク規格にて規定されているＰＣＡ領域の構成を示す図である。図５に示すように、ＰＣＡ領域は、ディスク製造者用領域とテスト記録用のドライブ用使用領域とからなり、ドライブ用使用領域は、複数のセクタＴＳ０００１〜ＴＳ６８３２で構成されている。１回のテスト記録で使用するセクタ数は、１ＥＣＣブロックであり、これは１６個のセクタに相当する。従って、光ディスク１枚で６８３２／１６＝４２７回のテスト記録を行うことができる。
【０００６】
図６は、光ディスク１周分のセクタ数（ここでは２６セクタ）と、テスト記録の１パーティションとの関係を示す図である。本明細書中では、１のＥＣＣブロック（１６セクタ）を１パーティションとし、１パーティション中の各セクタをＳＣ０１〜ＳＣ１６と称する。図６（Ａ）は、光ディスクの１周分のセクタ構成を示し、図６（Ｂ）は光ディスク１周分の記録感度の変動を示し、図６（Ｃ）はテスト記録の１パーティションのセクタ構成を示している。これらの図から、テスト記録の１パーテションは、ディスクの１周分に満たず、従って記録感度の変動も１サイクル分に達しないことがわかる。
【０００７】
図７は、従来のパワーキャリブレーション方法におけるテスト記録１回分（１パーティション）のセクタ使用例を示す図である。図７に示すとおり、従来のパワーキャリブレーション方法では、１回のテスト記録において、１パーティションすなわち１６のセクタに対して１６段階の記録レーザパワーをそれぞれ照射して試し書きを行い、これらのセクタの読み出しを行って１６の再生信号のパラメータの中から最適な記録レーザパワー値を決定するようにしている。図７（Ａ）は、１パーティションのセクタ構成を示し、図７（Ｂ）は、各セクタに照射する記録レーザパワーの段階、図７（Ｃ）は、ディスクの周内変動がない場合の各セクタにおける再生信号の理想的なパラメータ値（β値）、図７（Ｄ）は、各セクタにおける再生信号の実際のパラメータ値（β値）を、それぞれ示す。なお、図７（Ｄ）の破線は、理想的なパラメータ値である。
【０００８】
ここで、１パーティション中の各セクタに同じレーザパワーを照射すると、ディスクの偏芯や、面ぶれなどの要因によってディスク上のビームスポットの実行パワー値が変化するため、ディスクの一の周内で感度は変動してしまう。このため、図７（Ｃ）および（Ｄ）に示すように、同じ周内においても、データの書き上がり（β値）に差が発生することになる。
【０００９】
【発明が解決しようとする課題】
このように、情報記録が可能な光ディスク装置では、データを記録する前に予めパワーキャリブレーション領域にテスト記録を行って、データを記録するためのレーザパワーを最適化するようにしているが、パワーキャリブレーション領域においても、ディスクの偏芯や、面ぶれがあり、さらにはディスクの製作条件などの要因も加わって、一の周内で記録感度が変動する。
【００１０】
従って、テスト記録に使用する１のパーティションが１周未満の場合は、この記録感度の変動の影響によって、決定した記録用のレーザパワー値に誤差が生じている。なお、この誤差を生じさせないようにするため、１回のテスト記録で２つのパーティションを使用することもあるが、この場合は有限であるパワーキャリブレーション領域を２倍以上消費することになる。
【００１１】
本発明は、テスト記録に使用する１のパーティションがディスクの１周未満として情報記録を行う光ディスク装置において、テスト記録を行うＰＣＡ領域でディスクの偏芯や面ぶれなどによる周内での記録感度の変動が存在する場合でも１のパーティション内でその記録感度の変動による誤差をキャンセルして、最適記録レーザパワー値を決定することのできる、高精度のパワーキャリブレーション方法を提供することを目的とする。
【００１２】
【課題を解決するための手段】
上記目的を達成するため、本発明の光ディスク装置のパワーキャリブレーション方法は、光ディスクに設けられたパワーキャリブレーション領域にテスト記録を行うと共に当該テスト記録の再生を行い、この再生信号のパラメータによって前記光ディスクに記録するレーザパワーを決定する光ディスク装置のパワーキャリブレーション方法において、
前記テスト記録に使用するパーティションが前記光ディスクの半周分以上であって一周分に満たない条件下で前記パワーキャリブレーションを行い、
（１）前記パーティションに使用するセクタ中の任意のセクタと、当該任意のセクタから数えて前記光ディスクの１／２周後のセクタとに、同一の記録条件にて前記テスト記録を実施し、
（２）これらセクタの再生信号のパラメータの平均値を求め、
（３）この平均値から前記光ディスクに記録するレーザパワーを決定する、
ことを特徴とする。
【００１３】
このように、本発明においては、１のパーティションに使用するセクタ中の任意のセクタと、当該任意のセクタから数えて前記光ディスクの１／２周後のセクタとにテスト記録を行って、これらセクタの再生信号のパラメータの平均値から、記録レーザパワーを決定するようにしている。テスト記録を実施するセクタは、ディスクの１／２周離れた位置にあるためセクタ間で周内変動がキャンセルすることができる。従って、テスト記録に用いるセクタの再生信号のパラメータの平均値を取り、このパラメータを使用することによって、周内変動の影響を受けないレーザパワーを決定することができる。
【００１４】
なお、テスト記録に用いるレーザパワーは、任意のセクタとその１／２周後のセクタとの間の中間セクタに記録を行い、この中間セクタに行った記録結果から求めることができる。
【００１５】
この中間セクタに行う記録は、各セクタ内で複数段階の記録パワーにて行うようにしてもよい。
【００１６】
また、任意のセクタと、当該任意のセクタから数えて前記光ディスクの１／２周後のセクタとに行うテスト記録は、一のセクタについて一の値のパワーで行うか、あるいは、一のセクタについて段階的に値の異なるパワーで行わうようにしてもよい。
【００１７】
本発明の光ディスク装置のパワーキャリブレーション方法における好適な実施形態では、更に、
（３）前記ステップ（１）および（２）を実行して暫定記録パワー値を決定し、
（４）前記任意のセクタとは別の任意のセクタと、当該別の任意セクタから数えて前記光ディスクの１／２周後のセクタとに前記暫定記録パワー値を用いて再度テスト記録を行い、
（５）これらのセクタの再生信号のパラメータの平均値を求め、
（６）この平均値から前記光ディスクに記録するレーザパワーを決定する、
ことを特徴とする。
【００１８】
このように、２重にテスト記録を行って、再度行われたテスト記録の結果から記録レーザパワーを決定するようにしても良い。これにより、より適正な記録レーザパワーを得ることができる。
【００１９】
この場合、少なくとも前記暫定記録パワー値を求めるステップ（３）において、各セクタ内で複数段階の記録パワーにて記録を行うようにするのが好ましい。
【００２０】
なお、２重にテスト記録を行って求めたパラメータ（β値）は、決定した記録レーザパワーで実際に記録したときの再生信号のパラメータであるので、これを目標値を比較することによって、決定したレーザパワーの適正を判断することができる。
【００２１】
【発明の実施の形態】
以下に、図面を参照して本発明の実施形態を詳細に説明する。
図１は、本発明にかかるパワーキャリブレーション方法を適用する光ディスク装置の構成を示すブロック図である。図１を参照すると、光ディスク装置は、光ディスク媒体１への情報の書き込み／読み出しを行う光ピックアップ２と、光ピックアップ２が取り出した信号を再生する再生信号検出回路３と、当該検出回路３の出力を処理する再生信号処理回路４と、光ピックアップ２を光ディスクのトラック方向に移動させるスレッドモータ５と、ディスク１を回転させるスピンドルモータ６と、サーボ制御回路７と、β値検出回路８と、光ピックアップのレーザを駆動するレーザ駆動回路９と、光ピックアップのレーザの記録動作を制御する記録制御回路１０と、記録信号生成回路１１と、これらの各回路を制御するコントロール回路１２とを具える。このコントロール回路１２は、記録レーザパワー決定回路１３を具えており、ここで記録に用いるレーザパワーを決定する。
【００２２】
データ再生時には、光ピックアップ２の各種ディテクタからの信号が再生信号検出回路３に供給され、サーボ信号およびＲＦ信号が出力される。サーボ信号はサーボ制御回路７に送られて、制御回路７は光ピックアップ２をサーボ制御する信号を送出する。サーボ制御回路７は、更に、光ピックアップ２の位置の移動を担うスレッドモータ５へスレッドサーボ信号を、光ディスク１の回転を整えるスピンドルモータ６へはスピンドルサーボ信号を出力する。また、このサーボ制御回路７は、サーボ信号に含まれるディスク上のアドレス値や、サーボ信号自体をコントロール回路１２に供給する。
【００２３】
ＲＦ信号は、再生信号検出回路３から、再生信号処理回路４とβ値検出回路８へ供給される。再生信号処理回路４に送られたＲＦ信号はデコードされて、情報データとして上位装置へ出力される。再生信号処理回路４は、このＲＦ信号に含まれるデータのアドレス値をコントロール回路１２へ出力する。
【００２４】
なお、β値検出回路８は、入力ＲＦ信号の交流信号のピーク値Ａ１とボトム値Ａ２を検出して、以下の式からβ値を算出して、記録レーザパワー決定回路１３に出力する。
β  ＝  （Ａ１＋Ａ２）／（Ａ１−Ａ２）
【００２５】
一方、データ記録時には、上位装置から記録信号生成回路１１にデータが入力され、エンコードされて、記録制御回路１０に送られる。記録制御回路１０の制御の下に、レーザ駆動回路９は記録レーザパワー決定回路１３で決定された記録レーザパワーとなるように光ピックアップ２のレーザを駆動して、エンコードされたデータを光ディスク１に記録してゆく。
【００２６】
このような光ディスク装置で行う本発明のキャリブレーション動作を、図２を用いて以下に説明する。
まず、レーザ駆動回路９は、キャリブレーション用の１パーティションのセクタのうち、セクタＳＣ０５〜ＳＣ１２に対して、記録レーザパワー決定回路１３が決定した８段階の記録レーザパワーＰＷ０１〜ＰＷ０８を用いて記録を行う（ステップＳ１００）。なお、この８段階のレーザパワー値には、使用するディスク１に適した標準値を使用する。
次いで、セクタＳＣ０５〜ＳＣ１２の記録領域を再生して、β値検出回路８にてβ値ＢＴ０５〜ＢＴ１２を得る（ステップＳ２００）。次いで、記録パワー決定回路１３にて、このβ値ＢＴ０５〜ＢＴ１２から最も記録状態の良好なレーザパワーを計算して、この選択されたパワー値を仮にＰＶ００とする。ただし、このパワー値ＰＶ００はディスクの周内変動の影響を受けているため、実際の最適パワー値から誤差が生じている。
【００２７】
次いで、セクタＳＣ０１〜ＳＣ０４と、これらのセクタの１／２周後のセクタであるセクタＳＣ１３〜ＳＣ１６に記録を行う。この記録は、記録レーザパワー決定回路１３にて、前記ＰＶ００を中心値とする４段階の記録レーザパワーＰＶ０１〜ＰＶ０４を決定して行う（ステップＳ３００）。次いで、これらのセクタを同時に再生して、β値検出回路８にてβ値ＢＴ０１〜ＢＴ０４、ＢＴ１３〜ＢＴ１６を得る。ここで、β値ＢＴ０１〜ＢＴ０４とＢＴ１３〜ＢＴ１６との間ではディスクの周内での感度変動が対称であるので、１／２周ごとのセクタの記録レーザパワーの平均値を取ることにより、ディスクの周内変動の影響をキャンセルしたパワー値が得られることになる。
【００２８】
すなわち、記録レーザパワー決定回路１３において、
（ＢＴ０１＋ＢＴ１３）／２＝ＢＳ０１
（ＢＴ０２＋ＢＴ１４）／２＝ＢＳ０２
（ＢＴ０３＋ＢＴ１５）／２＝ＢＳ０３
（ＢＴ０４＋ＢＴ１６）／２＝ＢＳ０４
を計算して、これらのディスクの半周おきに位置する２つのセクタのβ値の平均値である、ＢＳ０１〜ＢＳ０４から、最適な記録状態となるレーザパワーを算出して、記録レーザパワー値を決定する。
【００２９】
図３は、本発明の第２実施形態にかかるパワーキャリブレーション方法を説明するための図である。第２実施形態では、テスト記録中の記録レーザパワーのパワー値段階をセクタ単位ではなく、１のセクタ内で分割するようにした。まず、１のパーティションのうち、セクタＳＣ０５〜ＳＣ１２に対して、各セクタについて６段階の記録レーザパワーを照射して記録を行う（ステップＳ１１０）。この時の各段階のレーザパワー値には、使用するディスクに適した標準値を使用し、各セクタでの記録条件は同一とする。
【００３０】
次いで、これらのセクタ領域を再生してβ値検出回路８にて、各セクタのβ値を得、セクタＳＣ０５〜ＳＣ１２の各々について、各段階のβ値の平均値を求めて、記録レーザパワー決定回路１３において最も記録状態が良好であるレーザパワーを計算する（ステップＳ２１０）。ここで、選択されたパワー値を仮にＰＶ００とする。ただし、ここで得られた暫定パワー値ＰＸ００は、ディスクの周内変動の影響を受けているので、実際の最適パワー値と誤差が生じている。
【００３１】
次いで、セクタＳＣ０１〜ＳＣ０４と、これらのセクタの１／２周後に相当するセクタＳＣ１３〜ＳＣ１６に対して、レーザパワー決定回路１３にて暫定パワー値ＰＶ００を中心とした６段階の記録レーザパワーを決定して、各セクタについてこの６段階の記録レーザパワーで記録を行う（ステップＳ３１０）。ここで、各セクタにおける記録条件は同一とする。
【００３２】
次いで、これらの領域を同時に再生して、β値検出回路８にて各セクタについて各段階のβ値を得る（ステップＳ４１０）。ここで、セクタＳＣ０１の各段階のβ値とセクタＳＣ１３の各段階のβ値、セクタＳＣ０２の各段階のβ値とセクタＳＣ１４の各段階のβ値、セクタＳＣ０３の各段階のβ値とセクタＳＣ１５の各段階のβ値、セクタＳＣ０４の各段階のβ値とセクタＳＣ１６の各段階のβ値との間では、ディスクの周内での感度変動が対称であるので、１／２周おきのセクタについてのβ値の平均値を取ることにより、ディスクの周内変動の影響をキャンセルしたパワー値が得られる。
【００３３】
従って、記録レーザパワー決定回路１３において、セクタＳＣ０１〜ＳＣ０４およびセクタＳＣ０１３〜ＳＣ１６についての各段階のβ値の平均値ＢＳ０１〜ＢＳ０６から最適な記録状態となるレーザパワーを算出すれば、周内変動の影響を受けないデータ記録用のレーザパワー値を決定することができる。
【００３４】
次いで、図４を参照して本発明の第３実施形態について説明する。第３実施形態では、暫定パワー値ＰＶ００を決定するまでのステップ（Ｓ１１０、Ｓ２１０）は、第２実施形態と同様であるので、その後の動作のみを説明する。
暫定パワー値ＰＶ００を得た後、セクタＳＣ０１とＳＣ０２、および、これらのセクタの１／２周後に相当するセクタＳＣ１３〜ＳＣ１４の各々に、ＰＶ００を中心とした６段階の記録レーザパワーにて記録を行う（ステップＳ３２０）。
なお、それぞれのセクタでの記録条件は同一とする。
【００３５】
次いで、これらの４つのセクタを同時に再生して、β値検出回路８にて各セクタのβ値を得る（ステップＳ４２０）。このとき、セクタＳＣ０１の各段階のβ値と、セクタＳＣ１３の各段階のβ値との間、またセクタＳＣ０２の各段階のβ値とセクタＳＣ１４の各段階のβ値との間では、ディスクの周内での感度変動が対称である。したがって、セクタＳＣ０１のβ値とセクタＳＣ１３のβ値、およびセクタＳＣ０２のβ値とセクタＳＣ１４のβ値との間の平均値を取ることによって、ディスク周内変動の影響をキャンセルしたパワー値が得られることになる。ここで決定したパワー値をＰＸ００（第２暫定パワー）とする。
【００３６】
次いで、セクタＳＣ０３とＳＣ０４、およびこれらのセクタの１／２周後に相当するＳＣ１５とＳＣ１６に対して、上記ステップにて決定した第２暫定パワー値ＰＸ００にて記録を行う（ステップＳ５００）。次いで、これらの領域を同時に再生して、β値検出回路８にて各セクタのβ値を得る（ステップＳ６００）。
ここで、セクタＳＣ０３のβ値とセクタＳＣ１５のβ値、および、セクタＳＣ０４のβ値とセクタＳＣ１６のβ値は、それぞれディスクの周内での感度変動が対称であるので、これらの平均値を取ることによって、ディスクの周内変動の影響をキャンセルしたβ値が得られる。
【００３７】
ついで、記録レーザパワー決定回路１３において、
（ＢＴ０３＋ＢＴ１５）／２＝ＢＳ０１
（ＢＴ０４＋ｂｔ１６）／２＝ＢＳ０２
を求め、更に
（ＢＳ０１＋ＢＳ０２）／２＝ＢＳ００
を算出して、このパワーで記録を行う。
【００３８】
なお、ここで得られたβ値ＢＳ００は、決定した記録レーザパワーで実際に記録したときの再生信号のパラメータとなる。従って、このＢＳ００の値と、目標としていたβ値と比較することにより、決定された記録レーザパワー値の適正を判断して、必要に応じてＯＰＣ動作をリトライするようにしても良い。
【００３９】
【発明の効果】
このように、本発明の光ディスク装置のパワーキャリブレーション方法によれば、ディスクの偏芯や面ぶれなどによって、１の周内で記録感度が変動するような場合でも、１パーティションのテスト記録でこの変動をキャンセルした最適パワーキャリブレーションを実現することが可能となる。従って、信頼性の高い記録品質を確保することが可能となる。
【図面の簡単な説明】
【図１】  図１は、本発明にかかるパワーキャリブレーション方法を実行するための光ディスク装置の構成を示すブロック図である。
【図２】  図２は、本発明にかかるパワーキャリブレーション方法の第１実施形態を説明するための図である。
【図３】  図３は、本発明にかかるパワーキャリブレーション方法の第２実施形態を説明するための図である。
【図４】  図４は、本発明にかかるパワーキャリブレーション方法の第３実施形態を説明するための図である。
【図５】  図５は、ＤＶＤ−Ｒの光ディスク規格にて規定されているＰＣＡ領域の構成を示す図である。
【図６】  図６は、光ディスク１周分のセクタ数と、テスト記録の１パーティションとの関係を示す図である。
【図７】  図７は、従来のパワーキャリブレーション方法におけるテスト記録１回分のセクタ使用例を示す図である。
【符号の説明】
１      光ディスク
２      光ピックアップ
３      再生信号検出回路
４      再生信号処理回路
５      スレッドモータ
６      スピンドルモータ
７      サーボ制御回路
８      β値検出回路
９      レーザ駆動回路
１０    記録制御回路
１１    記録信号生成回路
１２    コントロール回路
１３    記録レーザパワー決定回路
【図１】
0003778130.tif 000002
【図２】
0003778130.tif 000003
【図３】
0003778130.tif 000004
【図４】
0003778130.tif 000005
【図５】
0003778130.tif 000006
【図６】
0003778130.tif 000007
【図７】
0003778130.tif 000008